(57)【要約】【課題】簡易な構成で壁等の被着座面に１乃至複数枚の紙等のシートを、容易且つ確実に、着脱自在に保持することができると共に、被着座面に対する紙等のシートの保持にバリエーションを持たせることができるシートホルダーの提供を課題とする。【解決手段】壁等の被着座面Ｆに接面して着脱自在に着座することでシートＳを保持するようにしたシートホルダー１であって、被着座面Ｆに着座させるための着座用部４０を有する略長方形の着座用基板１０と、着座用基板の後端側から折れ曲がり部２０を経て先端側へ延出されることで着座用基板との間にシートの先端部を受け入れて収容する収容空間Ｐを構成する挟持用片３０とを有し、且つ挟持用片の先端部３１は、着座用基板との間に収容空間Ｐよりも狭い挟持用隙間Ｑを構成すると共に、折れ曲がり部の湾曲形状によって付与された弾性によって挟持用隙間Ｑへのシートの受け入れと挟持とを可能としてなる。【選択図】      図２
0003157451.tif 000002
【実用新案登録請求の範囲】
【請求項１】
壁等の被着座面に接面して着脱自在に着座することで紙等のシートを保持するようにしたシートホルダーであって、前記被着座面に着座させるための着座用部を有する略長方形の着座用基板と、該着座用基板の後端側から折れ曲がり部を経て先端側へ延出されることで、前記着座用基板との間に紙等のシートの先端部を受け入れて収容する収容空間を構成する挟持用片とを有し、且つ挟持用片の先端部は、前記着座用基板との間に前記収容空間よりも狭い挟持用隙間を構成すると共に、前記折れ曲がり部の湾曲形状によって付与された弾性によって前記挟持用隙間へのシートの受け入れと挟持とを可能としてなることを特徴とするシートホルダー。
【請求項２】
挟持用片の先端部を着座用基板の先端部よりも少し後退した位置にあるように構成することで、着座用基板の先端部と挟持用片の先端部との間に段差を設けてシートの差し入れ案内部としていることを特徴とする請求項１に記載のシートホルダー。
【請求項３】
挟持用片の先端部の端面を、先端部の上面に対して鋭角の傾斜角をもつ傾斜端面として構成してあることを特徴とする請求項１又は２に記載のシートホルダー。
【請求項４】
挟持用片の側端部を、挟持用片の先端部に向けて着座用基板の側端部よりも徐々に後退した位置にあるように構成することで、着座用基板の側端部と挟持用片の側端部との間に段差を設けてシートの差し入れ案内部としてあることを特徴とする請求項１〜３の何れかに記載のシートホルダー。
【請求項５】
挟持用片の側端部の端面を、側端部の上面に対して鋭角の傾斜角をもつ傾斜端面として構成してあることを特徴とする請求項４に記載のシートホルダー。
【請求項６】
着座用基板及び挟持用片は、透明なプラスチックからなることを特徴とする請求項１〜５の何れかに記載のシートホルダー。
【請求項７】
着座用部は、被着座面に対して磁力で着座するためのマグネット材を保有することを特徴とする請求項１〜６の何れかに記載のシートホルダー。
【請求項８】
着座用部は、被着座面に吸着して着座するための吸着材を保有することを特徴とする請求項１〜６の何れかに記載のシートホルダー。
【請求項９】
着座用部は、着座用基板の後端側を更に延長した状態に形成された延長基板部に設けてあることを特徴とする請求項７又は８に記載のシートホルダー。
【考案の詳細な説明】
【技術分野】
【０００１】
本考案は、壁等の被着座面に着脱自在に接面して着座し、紙等のシートを保持するようにしたシートホルダーに関する。
【背景技術】
【０００２】
ビジネス書類、メモ用紙、写真等のシートを壁等の被着座面に着脱自在に保持することができる様々なシートホルダーが提供されている。
このようなものとして、例えば下記特許文献１がある。
下記特許文献１は掲示具に関する考案で、掲示物の表示内容を遮ることなく保持することができると共に、掲示物を容易に着脱することができる技術が開示されている。
【先行技術文献】
【特許文献】
【０００３】
【特許文献１】特開２０００−６２３７２号公報
【考案の概要】
【考案が解決しようとする課題】
【０００４】
上記特許文献１においては、掲示物の表示内容は透明若しくは半透明な合成樹脂製板体２により遮られることなく確実に視認されると共に、掲示物の着脱に際し押動部５を押動付勢するだけで掲示物の掲示物保持部と磁性体面との間に適宜な間隔が生じ、これにより掲示物を容易に着脱することができるメリットがある。
しかしながら、掲示物を壁面に保持する場合、片方の手で押動部５を押し、もう一方の手で紙片１０を磁性体壁面８と磁着面４ａとの間に差し込む必要がある。従って、片手で簡単には紙片１０を壁面に保持することができない問題があった。
また磁石が吸着する壁面８と磁着面４ａとの間でのみ紙片１０を保持することができるものであり、紙片１０の保持にバリエーションを持たせる構成ではなかった。
【０００５】
そこで本考案は上記従来における問題点を解決し、簡易な構成で壁等の被着座面に１乃至複数枚の紙等のシートを、容易且つ確実に、着脱自在に保持することができると共に、被着座面に対する紙等のシートの保持にバリエーションを持たせることができるシートホルダーの提供を課題とする。
【課題を解決するための手段】
【０００６】
本考案のシートホルダーは、壁等の被着座面に接面して着脱自在に着座することで紙等のシートを保持するようにしたシートホルダーであって、前記被着座面に着座させるための着座用部を有する略長方形の着座用基板と、該着座用基板の後端側から折れ曲がり部を経て先端側へ延出されることで、前記着座用基板との間に紙等のシートの先端部を受け入れて収容する収容空間を構成する挟持用片とを有し、且つ挟持用片の先端部は、前記着座用基板との間に前記収容空間よりも狭い挟持用隙間を構成すると共に、前記折れ曲がり部の湾曲形状によって付与された弾性によって前記挟持用隙間へのシートの受け入れと挟持とを可能としてなることを第１の特徴としている。
また本考案のシートホルダーは、上記第１の特徴に加えて、挟持用片の先端部を着座用基板の先端部よりも少し後退した位置にあるように構成することで、着座用基板の先端部と挟持用片の先端部との間に段差を設けてシートの差し入れ案内部としていることを第２の特徴としている。
また本考案のシートホルダーは、上記第１又は第２の特徴に加えて、挟持用片の先端部の端面を、先端部の上面に対して鋭角の傾斜角をもつ傾斜端面として構成してあることを第３の特徴としている。
また本考案のシートホルダーは、上記第１〜第３の何れかの特徴に加えて、挟持用片の側端部を、挟持用片の先端部に向けて着座用基板の側端部よりも徐々に後退した位置にあるように構成することで、着座用基板の側端部と挟持用片の側端部との間に段差を設けてシートの差し入れ案内部としてあることを第４の特徴としている。
また本考案のシートホルダーは、上記第４の特徴に加えて、挟持用片の側端部の端面を、側端部の上面に対して鋭角の傾斜角をもつ傾斜端面として構成してあることを第５の特徴としている。
また本考案のシートホルダーは、上記第１〜第５の何れかの特徴に加えて、着座用基板及び挟持用片は、透明なプラスチックからなることを第６の特徴としている。
また本考案のシートホルダーは、上記第１〜第６の何れかの特徴に加えて、着座用部は、被着座面に対して磁力で着座するためのマグネット材を保有することを第７の特徴としている。
また本考案のシートホルダーは、上記第１〜第６の何れかの特徴に加えて、着座用部は、被着座面に吸着して着座するための吸着材を保有することを第８の特徴としている。
また本考案のシートホルダーは、上記第７又は第８の特徴に加えて、着座用部は、着座用基板の後端側を更に延長した状態に形成された延長基板部に設けてあることを第９の特徴としている。
【考案の効果】
【０００７】
請求項１に記載のシートホルダーによれば、壁等の被着座面に接面して着脱自在に着座することで紙等のシートを保持するようにしたシートホルダーであって、前記被着座面に着座させるための着座用部を有する略長方形の着座用基板と、該着座用基板の後端側から折れ曲がり部を経て先端側へ延出されることで、前記着座用基板との間に紙等のシートの先端部を受け入れて収容する収容空間を構成する挟持用片とを有し、且つ挟持用片の先端部は、前記着座用基板との間に前記収容空間よりも狭い挟持用隙間を構成すると共に、前記折れ曲がり部の湾曲形状によって付与された弾性によって前記挟持用隙間へのシートの受け入れと挟持とを可能としてなるので、
紙等のシートをシートホルダーに保持させる場合、シートの先端部を、挟持用片の先端部と着座用基板との間に構成された挟持用隙間から収容空間に差し入れることで、シート先端部を簡単に収容空間に受け入れることができると共に、弾性を付与された挟持用片の先端部によってシートを確実に挟持して保持することができる。
そしてシートホルダーは、その着座用部によって壁等の被着座面に着座させることができるので、紙等のシートを容易に壁面等に保持することができる。
勿論、シートをシートホルダーから取り外す場合には、シートの一部を持って引っ張るだけで、シート先端部を収容空間から、弾性的にその隙間を拡開される挟持用隙間を介して、容易に脱離させることができる。
よって請求項１に記載のシートホルダーによれば、簡易な構成で、紙等のシートを壁等の被着座面に、ごく簡単に且つ確実に、保持させ、離脱させることができる。
また挟持用隙間よりも収容空間の隙間寸法を広くしたことで、シートが通りにくい挟持用隙間の領域を狭い範囲に限定することができ、よって紙等のシートを、挟持用隙間を介して容易に差し入れ、また抜き出しすることができる。
勿論、収容空間は挟持用隙間の隙間より広いことで、収容空間の隙間寸法に至る枚数までシートを保持することも可能となる。
【０００８】
請求項２に記載のシートホルダーによれば、上記請求項１の構成による作用効果に加えて、挟持用片の先端部を着座用基板の先端部よりも少し後退した位置にあるように構成することで、着座用基板の先端部と挟持用片の先端部との間に段差を設けてシートの差し入れ案内部としていることにより、
シートの先端部をシートホルダーに差し入れる際、シートの先端部を着座用基板の先端部の上面に沿って案内して、容易に挟持用隙間に導くことができる。よってシート先端部を挟持用隙間を介して収容空間に差し入れる際の操作を簡単且つスムーズに行うことができると共に、シート先端部が差し入れ操作の不手際により折れ曲がったりすることも確実に予防することができる。
【０００９】
請求項３に記載のシートホルダーによれば、上記請求項１又は２の構成による作用効果に加えて、挟持用片の先端部の端面を、先端部の上面に対して鋭角の傾斜角をもつ傾斜端面として構成してあることにより、
シートの先端部をシートホルダーの先端側から挟持用隙間に差し入れる際に、シートの先端部を挟持用片の先端部の傾斜端面に沿ってスムーズに挟持用隙間に案内することができる。よってシートの差し入れ作業が容易になると共に、シートの先端部が差し入れ時に折れ曲がったりするのを防止することができる。
【００１０】
請求項４に記載のシートホルダーによれば、上記請求項１〜３の何れかの構成による作用効果に加えて、挟持用片の側端部を、挟持用片の先端部に向けて着座用基板の側端部よりも徐々に後退した位置にあるように構成することで、着座用基板の側端部と挟持用片の側端部との間に段差を設けてシートの差し入れ案内部としてあることにより、
シートの先端部をシートホルダーの側方から横方向にスライドさせて差し入れる際において、シートの先端部を着座用基板の側端部の上面に沿って横方向に案内して、容易に挟持用隙間に導くことができる。よってシート先端部をシートホルダーの側方から横方向にスライドさせて差し入れる際の操作を十分に簡単且つスムーズに行うことができる。勿論、その際にシート先端部が折れ曲がったりすることも確実に予防することができる。
特に請求項４のシートホルダーにおいては、シートの先端部をシートホルダーに対して側方から横方向にスライドして差し入れることができるように工夫しているが、シートをシートホルダーの側部からスライド差し入れする場合には、シートと挟持用隙間との接触面積を、１点接触といえる程小さい面積にすることができ、シートの差し入れ作業が非常に容易となる。
また挟持用片の側端部を、挟持用片の先端部に向けて着座用基板の側端部よりも徐々に後退した位置にあるように構成することで、シートホルダーの側端部に、着座用基板と挟持用片とによる斜め方向の段差を構成することができる。よってこの斜め方向の段差を案内ガイドとすることで、シートの先端部の角部を直接的に、容易に収容空間に案内することができる。即ち、シートの先端角部を、挟持用隙間を経ることなく、先んじて収容空間に差し入れることができる。このようにシートの先端部の角部を先に収容空間に差し入れた状態から、更にシートの先端部を横方向にスライドさせて挟持用隙間を越えさせることで、シート先端部のシートホルダーへの差し入れをごく容易に行うことができるのである。
【００１１】
請求項５に記載のシートホルダーによれば、上記請求項４に記載の構成による作用効果に加えて、挟持用片の側端部の端面を、側端部の上面に対して鋭角の傾斜角をもつ傾斜端面として構成してあることにより、
シートの先端部の側縁部をシートホルダーの側端側から横方向にスライドして差し入れる際に、シートの先端部の側縁部を挟持用片の側端部の傾斜端面に沿ってスムーズに挟持用隙間に案内することができる。よってシートホルダーに対してシートを横方向から差し入れする場合の作業が容易になると共に、差し入れ作業時にシートの先端が不手際で折れ曲がったりするのを防止することができる。
【００１２】
請求項６に記載のシートホルダーによれば、上記請求項１〜５の何れかに記載の構成による作用効果に加えて、着座用基板及び挟持用片は、透明なプラスチックからなることにより、
シートホルダーの使用時において、紙等のシートに記載されている文字や図形等が着座用基板及び挟持用片で隠れることを防止することができる。よって視認性の良いシートホルダーとすることができる。
【００１３】
請求項７に記載のシートホルダーによれば、上記請求項１〜６の何れかに記載の構成による作用効果に加えて、着座用部は、被着座面に対して磁力で着座するためのマグネット材を保有することとしているので、
壁等の被着座面が磁力による吸着を許容する材質で形成されている場合、被着座面に対する着座用部の着脱を容易且つ確実に行うことができる。よって着脱容易なシートホルダーとすることができる。
特に、壁等の被着座面との間に紙等のシートを介在させた状態で、着座用部を壁等の被着座面に着座させることで、紙等のシートを壁等の被着座面に着脱自在に保持することができる。よって着座用基板と挟持用片とによる紙等のシートの挟持に加えて、着座用部と壁等の被着座面との間でも紙等のシートを保持することができ、被着座面に対する紙等のシートの保持にバリエーションを持たせることができ、機動性に富んだシートホルダーとすることができる。
【００１４】
請求項８に記載のシートホルダーによれば、上記請求項１〜６の何れかに記載の構成による作用効果に加えて、着座用部は、被着座面に吸着して着座するための吸着材を保有することとしているので、
平滑な面を有する壁等の被着座面に対する着座用部の着脱を、真空吸着によって容易且つ確実に行うことができる。よって着脱容易なシートホルダーとすることができる。
【００１５】
請求項９に記載のシートホルダーによれば、上記請求項７又は８に記載の構成による作用効果に加えて、着座用部は、着座用基板の後端側を更に延長した状態に形成された延長基板部に設けてあるので、
不透明な着座用部の位置を、挟持用片や着座用基板の主要部分から外れた位置に配置することができる。これにより、壁等の被着座面がガラス等の透明体の表面である場合、シートホルダーをガラス等の表面に吸着等により保持した状態で、シートホルダーに挟持した紙等のシートを、ガラス等の透明体の反対側からも、着座用部によって遮られることなく、見ることができる。即ち、透明体等の反対側からシートホルダーに挟持されたシートが見えるようにする目的で、シートホルダーを使用することも可能となる。
【図面の簡単な説明】
【００１６】
【図１】本考案の実施形態に係るシートホルダーを示す図で、（ａ）は正面図、（ｂ）は右側面図である。
【図２】本考案の実施形態に係るシートホルダーの使用状態を示す図で、（ａ）は正面図、（ｂ）は右側面図である。
【図３】本考案の実施形態に係るシートホルダーの使用状態を示す図で、（ａ）は正面図、（ｂ）は右側面図である。
【図４】図１のＡ−Ａ断面図である。
【図５】本考案の他の実施形態に係るシートホルダーを示す図で、（ａ）は正面図、（ｂ）は右側面図である。
【考案を実施するための形態】
【００１７】
以下の図面を参照して、本考案に係るシートホルダーを説明し、本考案の理解に供する。しかし、以下の説明は本考案の実用新案登録請求の範囲に記載の考案を限定するものではない。
【００１８】
まず図１〜図３を参照し、本考案に係るシートホルダー１を説明する。
図１、図２に示すように、シートホルダー１は、被着座面Ｆに接面して着脱自在に着座することでシートＳを保持するようにしたシートホルダーである。
【００１９】
このシートホルダー１は、図１（ａ）に示すように、着座用基板１０と、挟持用片３０とから構成される。
【００２０】
前記着座用基板１０は、シートホルダー１の基本骨格を形成するものである。
この着座用基板１０は、図１、図２に示すように、略長方形の細長い板状部材からなり、被着座面Ｆと対向する面に着座用部４０を有する。
また着座用基板１０は、透明なプラスチックで形成されている。
なおプラスチックとしては、塩化ビニール、ポリエチレン、ポリプロピレン等、透明性を有するプラスチックであれば、如何なるものであってもよい。
【００２１】
前記着座用部４０は、シートホルダー１を被着座面Ｆに対して着脱自在に着座させるためのものである。
この着座用部４０は、図１に示すように、着座用基板１０より一回り小さい大きさの略長方形の細長いマグネット材で形成されている。
このような構成とすることで、図２（ｂ）に示すように、後述する磁性による吸着を許容する材質（例えばスチール製品等）から形成される被着座面Ｆに着座用部４０を着座させるだけで、被着座面Ｆに着座用部４０を容易且つ確実に片手で着脱自在に貼り付け、固定することができる。
なお着座用部４０の大きさ、形状、厚さ等は、本実施形態のものに限るものではなく、適宜変更可能である。
また本実施形態では、着座用部４０は着座用基板１０の裏面に出っ張った状態に取り付けられているが、着座用基板１０の裏面に面一になるように構成してもよい。
また着座用基板１０の内部に磁石粉末を含有させ、着座用部４０を着座用基板１０と一体的に形成する構成としてもよい。このような構成とすることで、使用時における着座用部４０の脱落を防止できると共に、シートホルダー１の小型化を図ることができる。
なお、着座用部４０の着座用基板１０との接合面側は、印刷可能面とし、広告やその他の印刷を施した状態で、その印刷が挟持用片３０及び着座用基板１０を介して透けて見えるようにしている。
【００２２】
前記挟持用片３０は、着座用基板１０との間にシートＳを収容する収容空間Ｐを構成すると共に、シートＳを挟持するためのものである。
【００２３】
この挟持用片３０は、図１（ｂ）に示すように、着座用基板１０の後端側から折れ曲がり部２０を経て先端側へ延出された状態で、着座用基板１０と一体成形されている。
このような構成とすることで、図１（ｂ）に示すように、着座用基板１０との間にシートＳを収容する収容空間Ｐを形成することができる。
更に折れ曲がり部２０の湾曲により、挟持用片３０の先端部３１は、着座用基板１０に対して弾性を有すると共に、着座用基板１０との間に収容空間Ｐよりも狭い隙間を有する挟持用隙間Ｑを構成する。
よって収容空間ＰにシートＳの先端部を挿入するだけで、挟持用片３０の先端部３１の弾性力によりシートＳを容易且つ確実に挟持することができる。このような状態でシートホルダー１を壁面等の被着座面Ｆに着座させることで、シートＳを壁面等に保持した状態とすることができる。
【００２４】
またシートＳを挟持させたシートホルダー１を被着座面Ｆから取り外す場合でも、シートＳの挟持状態は維持されることから、シートＳが床面に落ちることがない。よってシートホルダー１の被着座面Ｆからの取り外しを容易且つ確実に片手で行うことができる。
従って簡易な構成で、容易且つ確実に被着座面ＦにシートＳを保持することができると共に、被着座面ＦからシートＳを取り外すことができる。
更に簡易な構成にできることで、低コスト化を図ることができるシートホルダー１とすることができる。
【００２５】
また挟持用片３０を折れ曲がり部２０を介して着座用基板１０と一体形成する構成とすることで、複数枚のシートＳを収容空間Ｐに挿入する場合でも、挟持用片３０の先端部３１に付与された弾性により、シート３０の枚数に対応して十分に受け入れて収容することができると共に、収容した状態で複数枚のシートＳを確実に挟持することができる。
また複数枚のシートＳを先端部３１で挟持用隙間Ｑに挟持している場合でも、１乃至複数枚のシートＳを収容空間Ｐから引き抜くだけで、前記先端部３１の弾性により挟持用隙間Ｑの間隙が弾性的に変移して、１乃至複数枚のシート３０を収容空間Ｐから容易且つ確実に抜き出すことができる。
また図１（ｂ）に示すように、収容空間Ｐを挟持用隙間Ｑよりも広い構成とすることで、挟持用隙間Ｑの領域を狭くすることができ、シートＳの差し入れを容易にしている。
【００２６】
更に図１（ａ）に示すように、挟持用片３０の先端部３１を着座用基板１０の先端部１１よりも少し後退した位置にあるように構成することで、着座用基板１０の先端部１１と挟持用片３０の先端部３１との間に段差を設けて、シートＳの差し入れ案内部としている。
このような構成とすることで、薄肉なシートＳを着座用基板１０の先端部１１から挿入する際、シートＳの先端部を着座用基板１０の先端部１１の上面に沿って案内し、段差を挿入起点として、挟持用隙間Ｑへの挿入を容易に行うことができる。これによってシートＳの先端部を、挟持用隙間Ｑを経て収容空間Ｐに容易に差し入れて収容させることができる。
【００２７】
また図１（ａ）に示すように、挟持用片３０の側端部３２を、挟持用片３０の先端部３１に向けて、着座用基板１０の側端部１２よりも徐々に後退した位置にあるように構成している。このように構成することで、着座用基板１０の側端部１２と挟持用片３０の側端部３２との間に斜めの段差を設けて、シートＳの差し入れ案内部としてある。
このような構成とすることで、シートＳをシートホルダー１の側方から横方向にスライドさせて差し入れる際、シートＳの先端部を着座用基板１０の側端部１２の上面に沿ってガイドし、斜めの段差を挿入起点とすることができ、収容空間ＰへのシートＳの挿入を容易なものとすることができる。
特にシートＳをシートホルダー１の側方から横方向にスライドさせて差し入れる際、着座用基板１０の側端部１２と挟持用片３０の側端部３２との間に斜めの段差を設けることにより、シートＳの先端部の角部を前記斜めの段差のところから直接的に収容空間Ｐに差し入れることができる。即ち、シートＳの先端部の角部を、挟持用隙間Ｑに行き当たることなく、先んじて収容空間Ｐに差し入れることができる。従って、その後におけるシートＳのシートホルダー１への差し入れ操作は、シートＳの先端部の角部が収容空間Ｐに現に入った状態から、シートＳの先端部を着座用基板１０の側方から横方向に更にスライドさせることにより行うことができ、シートホルダー１への差し入れが容易に行えるメリットがある。
【００２８】
図１（ｂ）及び図４を参照して、本考案では、挟持用片３０の先端部３１の端面を、先端部３１の上面に対して鋭角となる傾斜角を持つ傾斜端面３１ａとしている。また挟持用片３０の側端部３２の端面を、側端部３２の上面に対して鋭角の傾斜角をもつ傾斜端面３２ａとして構成している。
このように構成することで、シートＳの先端部をシートホルダー１の先端側から挟持用隙間Ｑに差し入れる際に、シートＳの先端部を挟持用片３０の先端部３１の傾斜端面３１ａに沿ってスムーズに挟持用隙間Ｑに案内することができる。よってシートＳの差し入れ作業が容易になると共に、シートＳの先端部が差し入れ時に折れ曲がったりするのを防止することができる。またシートＳの先端部の側縁部をシートホルダー１の側端側から横方向にスライドして差し入れる際に、シートＳの先端部の側縁部を挟持用片３０の側端部３２の傾斜端面３２ａに沿ってスムーズに挟持用隙間Ｑに案内することができる。よってシートホルダー１に対してシートＳを横方向からの差し入れする場合の作業が容易になると共に、差し入れ作業時にシートＳの先端が不手際で折れ曲がったりするのを防止することができる。
【００２９】
なお挟持用片３０は、透明なプラスチックで形成されている。
このような構成とすることで、図２（ａ）に示すように、シートＳをシートホルダー１で挟持した際、挟持用片３０でシートＳに記載されている「ＡＢＣＤＥＦＧ」等の文字や図形などの記載が隠れることを防止することができる。
よってシートＳをどの位置でも挟持可能なシートホルダー１とすることができ、機動性に富むと共に、視認性の良いシートホルダー１とすることができる。
また着座用基板１０における収容空間Ｐ側の面に広告宣伝情報を記載しておけば、シートＳを挟持していない状態において、それらの広告宣伝情報を視認可能とすることができ、シートホルダー１を広告宣伝媒体としても使用することができる。
【００３０】
更に既述したように、着座用部４０はマグネット材で形成されていることから、図３に示すように、着座用部４０と被着座面Ｆとの間にシートＳを介在させた状態で、シートホルダー１を被着座面Ｆに着座させるだけで、容易且つ確実にシートＳを保持することができる。
よって着座用基板１０と挟持用片３０とによるシートＳの挟持に加えて、着座用基板１０と被着座面ＦとでもシートＳを保持することができる。従ってシートＳの被着座面Ｆへの保持方法にバリエーションを持たせることが可能となる。よって一段と機動性及び利便性に富んだシートホルダー１とすることができる。
更に既述したように、着座用基板１０は、透明なプラスチックで形成されていることから、着座用基板１０でシートＳに記載されている文字や図形等が隠れることを防止することができる。よって視認性の良いシートホルダー１とすることができる。
【００３１】
前記シートＳは、紙、プラスチック、写真等シート状に形成されるものであれば、その材質は如何なるものであってもよい。
【００３２】
前記被着座面Ｆは、マグネット材の磁力による吸着を許容する材質（例えばスチール製品等）で形成される面を備えるものであれば、壁、ホワイトボード、本棚、デスク等如何なるものであってもよい。
【００３３】
なお、着座用部４０は吸着材で形成する構成としてもよい。
このような構成とすることで、被着座面Ｆが磁力による吸着を許容する材質で形成されるものでない場合であっても、シートホルダー１を被着座面Ｆに真空吸着等により容易且つ確実に着座させることができる。
但しこの場合は、着座用部４０と壁等の被着座面Ｆとの間に紙等のシートＳを介在させた状態でシートホルダー１を被着座面Ｆに着座させることはできない。
【００３４】
図５に本考案の他の実施形態に係るシートホルダー１を示す。この実施形態では、不透明な着座用部４０が視覚上、邪魔にならないように考慮したものである。即ち本実施形態では、着座用部４０は、着座用基板１０の後端側を更に延長した状態に形成された延長基板部１３に設けてある。このように構成することで、着座用部４０の位置を、挟持用片３０や着座用基板１０の主要部分から外れた位置に配置することができる。これにより、壁等の被着座面がガラス等の透明体の表面である場合、シートホルダー１をガラス等の表面に吸着等により保持した際、シートホルダー１に挟持した紙等のシートを、ガラス等の透明体の反対側からも、着座用部４０によって視界が遮られることなく、見ることができる。即ち、透明体等の反対側からシートホルダー１に挟持されたシートの内容が見えるようにする目的で、シートホルダー１を使用することも可能となる。
【産業上の利用可能性】
【００３５】
本考案はビジネス書類、メモ用紙、写真等のシートを壁等の被着座面に着脱自在に保持することができるシートホルダーとして利用することができる。
【符号の説明】
【００３６】
１            シートホルダー
１０          着座用基板
１１          先端部
１２          側端部
１３          延長基板部
２０          折れ曲がり部
３０          挟持用片
３１          先端部
３１ａ        傾斜端面
３２          側端部
３２ａ        傾斜端面
４０          着座用部
Ｓ            シート
Ｆ            被着座面
Ｐ            収容空間
Ｑ            挟持用隙間
【図１】
0003157451.tif 000003
【図２】
0003157451.tif 000004
【図３】
0003157451.tif 000005
【図４】
0003157451.tif 000006
【図５】
0003157451.tif 000007